(57)【要約】【課題】  楽曲処理装置１５０が、スキャン機能を欠落した携帯型楽曲再生装置１８０を接続されたときでも、スキャン機能を実現できるようにする。【解決手段】  携帯型楽曲再生装置１８０では楽曲を分類するカテゴリが定義されている。カテゴリ検出手段１５２は、楽曲処理装置１５０における現在の選択カテゴリを検出する。再生信号要求コマンド送信手段１５３は、ユーザからのスキャン指示を受け付けたり、現在のスキャン再生中の楽曲についての再生時間が所定時間に達したりすると、現在の選択カテゴリに係るスキャン待ち順が１番である楽曲について、その再生信号を楽曲処理装置１５０へ送出する旨のコマンドとしての再生信号要求コマンドを携帯型楽曲再生装置１８０へ送信する。再生信号送出手段１５４は、再生信号要求コマンドに応答して携帯型楽曲再生装置１８０から送信されてきた再生信号を放音器１８３へ送出する。【選択図】      図７
2006209833.tif 000002
【特許請求の範囲】
【請求項１】
携帯型楽曲再生装置と通信自在になっている楽曲処理装置であって、前記携帯型楽曲再生装置は、内蔵記憶装置に記録されている楽曲を再生して、前記携帯型楽曲再生装置において聴取自在にしているとともに、前記楽曲処理装置からの複数個の所定のコマンドを受け付けて各コマンドに対する各処理を実行して処理結果を、前記楽曲処理装置へ返すようになっている前記楽曲処理装置において、
前記携帯型楽曲再生装置では楽曲を分類するカテゴリが定義され、前記携帯型楽曲再生装置との通信により前記楽曲処理装置と前記携帯型楽曲再生装置との現在の選択カテゴリを同期させるカテゴリ同期手段、
前記楽曲処理装置における現在の選択カテゴリを検出するカテゴリ検出手段、
ユーザからのスキャン指示を受け付けると、及びスキャン期間中、現在のスキャン再生中の楽曲についての再生時間が所定時間に達すると、現在の選択カテゴリに係るスキャン順番において待ち順が１番である楽曲について、その再生信号を前記楽曲処理装置へ送出する旨のコマンドとしての再生信号要求コマンドを前記携帯型楽曲再生装置へ送信する再生信号要求コマンド送信手段、及び
再生信号要求コマンドに応答して前記携帯型楽曲再生装置から送信されてきた再生信号を、前記楽曲処理装置に接続されている放音器へ送出する再生信号送出手段、
を有していることを特徴とする楽曲処理装置。
【請求項２】
前記要素は楽曲名又は楽曲名に係るカテゴリ名であり、ユーザからの前記スキャン指示には、楽曲のスキャン指示及びカテゴリのランダムスキャン指示が含まれることを特徴とする請求項１記載の楽曲処理装置。
【請求項３】
前記再生信号要求コマンド送信手段は、ユーザからの前記スキャン指示がランダムスキャン指示である場合、再生信号要求コマンドに先立ち、楽曲のランダム配列指示のコマンド又はカテゴリのランダム配列指示のコマンドを前記携帯型楽曲再生装置へ送信することを特徴とする請求項２記載の楽曲処理装置。
【請求項４】
スキャン期間においてユーザからのカテゴリ変更を受け付けると、スキャン処理を中止するスキャン処理中止手段、
を有していることを特徴とする請求項１〜３のいずれかに記載の楽曲処理装置。
【請求項５】
現在の選択カテゴリに属する楽曲の楽曲名を構成要素とするリストを定義し、該リストの構成要素の総数Ｎとし、該リスト内の各楽曲名に連続番号を対応付け、所定個数Ｎ１（Ｎ１＜Ｎ）個の連続番号の楽曲名に係るリスト部分情報について送信するように、リスト部分情報要求コマンドを前記携帯型楽曲再生装置へ送信するリスト部分情報要求コマンド送信手段、
前記リスト部分情報要求コマンドに対する前記携帯型楽曲再生装置からの応答を受信すると、該応答に基づきリスト部分を作成してタッチディスプレイに表示するリスト部分表示手段、及び
スキャン再生の進行に伴い、スキャン再生中の楽曲の楽曲名が前記タッチディスプレイに表示中のリスト部分外とならないように、前記リスト部分情報要求コマンド送信手段に適宜、前記リスト部分情報要求コマンドを前記携帯型楽曲再生装置へ送信させる送信指示手段、
を有していることを特徴とする請求項１〜４のいずれかに記載の楽曲処理装置。
【請求項６】
ユーザからのリスト部分のスクロール指示を受け付けると、再生中の楽曲の楽曲名のリスト部分を表示する代わりに、スクロール後のリスト部分を表示するように、スクロール後のリスト部分に係る前記リスト部分情報要求コマンドを前記リスト部分情報要求コマンド送信手段に前記携帯型楽曲再生装置へ送信させる前記送信指示手段、及び
楽曲再生中、ユーザから再生中楽曲の楽曲名を含むリスト部分表示への戻り指示を受け付けると、再生中の楽曲の楽曲名のリスト部分に係る前記リスト部分情報要求コマンドを前記リスト部分情報要求コマンド送信手段に前記携帯型楽曲再生装置へ送信させる送信指示手段、
を有していることを特徴とする請求項５記載の楽曲処理装置。
【請求項７】
携帯型楽曲再生装置と通信自在になっている楽曲処理装置であって、前記携帯型楽曲再生装置は、内蔵記憶装置に記録されている楽曲を再生して、前記携帯型楽曲再生装置において聴取自在にしているとともに、前記楽曲処理装置からの複数個の所定のコマンドを受け付けて各コマンドに対する各処理を実行して処理結果を、前記楽曲処理装置へ返すようになっている前記楽曲処理装置において、
前記携帯型楽曲再生装置では楽曲を分類するカテゴリが定義され、前記携帯型楽曲再生装置との通信により前記楽曲処理装置と前記携帯型楽曲再生装置との現在の選択カテゴリを同期させるカテゴリ同期手段、
前記楽曲処理装置における現在の選択カテゴリを検出するカテゴリ検出手段、
現在の選択カテゴリに属する楽曲の楽曲名を構成要素とするリストを定義し、該リストの構成要素の総数Ｎとし、該リスト内の各楽曲名に連続番号を対応付け、所定個数Ｎ１（Ｎ１＜Ｎ）個の連続番号の楽曲名に係るリスト部分情報について送信するように、リスト部分情報要求コマンドを前記携帯型楽曲再生装置へ送信するリスト部分情報要求コマンド送信手段、
前記リスト部分情報要求コマンドに対する前記携帯型楽曲再生装置からの応答を受信すると、該応答に基づきリスト部分を作成して前記タッチディスプレイに表示するリスト部分表示手段、
ユーザからのリスト部分のスクロール指示を受け付けると、再生中の楽曲の楽曲名のリスト部分を表示する代わりに、スクロール後のリスト部分を表示するように、スクロール後のリスト部分に係る前記リスト部分情報要求コマンドを前記リスト部分情報要求コマンド送信手段に前記携帯型楽曲再生装置へ送信させる送信指示手段、及び
楽曲再生中、ユーザから再生中楽曲の楽曲名を含むリスト部分表示への戻り指示を受け付けると、再生中の楽曲の楽曲名のリスト部分に係る前記リスト部分情報要求コマンドを前記リスト部分情報要求コマンド送信手段に前記携帯型楽曲再生装置へ送信させる送信指示手段、
を有していることを特徴とする楽曲処理装置。
【請求項８】
携帯型楽曲再生装置と通信自在になっている楽曲処理装置であって、前記携帯型楽曲再生装置は、内蔵記憶装置に記録されている楽曲を再生して、前記携帯型楽曲再生装置において聴取自在にしているとともに、前記楽曲処理装置からの複数個の所定のコマンドを受け付けて各コマンドに対する各処理を実行して処理結果を、前記楽曲処理装置へ返すようになっている前記楽曲処理装置の制御方法において、
前記携帯型楽曲再生装置では楽曲を分類するカテゴリが定義され、前記携帯型楽曲再生装置との通信により前記楽曲処理装置と前記携帯型楽曲再生装置との現在の選択カテゴリを同期させるカテゴリ同期ステップ、
前記楽曲処理装置における現在の選択カテゴリを検出するカテゴリ検出ステップ、
ユーザからのスキャン指示を受け付けると、及びスキャン期間中、現在のスキャン再生中の楽曲についての再生時間が所定時間に達すると、現在の選択カテゴリに係るスキャン順番において待ち順が１番である楽曲について、その再生信号を前記楽曲処理装置へ送出する旨のコマンドとしての再生信号要求コマンドを前記携帯型楽曲再生装置へ送信する再生信号要求コマンド送信ステップ、及び
再生信号要求コマンドに応答して前記携帯型楽曲再生装置から送信されてきた再生信号を、前記楽曲処理装置に接続されている放音器へ送出する再生信号送出ステップ、
を有していることを特徴とする楽曲処理装置用制御方法。
【請求項９】
スキャン期間においてユーザからのカテゴリ変更を受け付けると、スキャン処理を中止するスキャン処理中止ステップ、
を有していることを特徴とする請求項−８記載の楽曲処理装置用制御方法。
【請求項１０】
携帯型楽曲再生装置と通信自在になっている楽曲処理装置であって、前記携帯型楽曲再生装置は、内蔵記憶装置に記録されている楽曲を再生して、前記携帯型楽曲再生装置において聴取自在にしているとともに、前記楽曲処理装置からの複数個の所定のコマンドを受け付けて各コマンドに対する各処理を実行して処理結果を、前記楽曲処理装置へ返すようになっている前記楽曲処理装置の制御方法において、
前記携帯型楽曲再生装置では楽曲を分類するカテゴリが定義され、前記携帯型楽曲再生装置との通信により前記楽曲処理装置と前記携帯型楽曲再生装置との現在の選択カテゴリを同期させるカテゴリ同期ステップ、
前記楽曲処理装置における現在の選択カテゴリを検出するカテゴリ検出ステップ、
現在の選択カテゴリに属する楽曲の楽曲名を構成要素とするリストを定義し、該リストの構成要素の総数Ｎとし、該リスト内の各楽曲名に連続番号を対応付け、所定個数Ｎ１（Ｎ１＜Ｎ）個の連続番号の楽曲名に係るリスト部分情報について送信するように、リスト部分情報要求コマンドを前記携帯型楽曲再生装置へ送信するリスト部分情報要求コマンド送信ステップ、
前記リスト部分情報要求コマンドに対する前記携帯型楽曲再生装置からの応答を受信すると、該応答に基づきリスト部分を作成して前記タッチディスプレイに表示するリスト部分表示ステップ、
ユーザからのリスト部分のスクロール指示を受け付けると、スクロール後のリスト部分に係る前記リスト部分情報要求コマンドを前記携帯型楽曲再生装置へ送信する前記リスト部分情報要求コマンド送信ステップ、
ユーザから再生中楽曲の楽曲名を含むリスト部分表示への戻り指示を受け付けると、再生中の楽曲の楽曲名のリスト部分に係る前記リスト部分情報要求コマンドを前記携帯型楽曲再生装置へ送信する前記リスト部分情報要求コマンド送信ステップ、
を有していることを特徴とする楽曲処理装置用制御方法。
【請求項１１】
請求項１〜７のいずれかに記載の楽曲処理装置の各手段としてコンピュータを機能させるためのプログラム。
【発明の詳細な説明】
【技術分野】
【０００１】
本発明は、携帯型楽曲再生装置を接続して携帯型楽曲再生装置から受信する楽曲再生音を放音器から出力する楽曲処理装置、制御方法及びプログラムに関するものである。
【背景技術】
【０００２】
ｉＰｏｄ（アップル社登録商標）は、ユーザが衣服のポケット等に入れて、持ち運び自在であり、４〜６０ＧＢの内蔵ハードディスク装置には多数（例：４０ＧＢのハードディスク装置の場合は約１万）の楽曲ファイルを記録して、任意の楽曲を適宜、再生して聴取できるようになっている。ｉＰｏｄ（登録商標）は、多数の楽曲からユーザが所望の楽曲を能率的に探し出せるようにするため、クリックホィールを前面パネルに装備し、ユーザがクリックホィール上を指で周回状になぞることにより、表示部に表示される楽曲名を高速で変更できるようにしたり、楽曲を複数個及び階層的なカテゴリに分類し、アーティスト、アルバム名及プレイリスト等のカテゴリの選択を介して楽曲に係る所望の要素群をユーザに提示するようにしている。
【０００３】
一方、ｉＰｏｄを、自動車の車内に適宜持ち込んで、ＡＶ再生機能付きカーナビゲーションシステムへ接続し、ｉＰｏｄの内蔵ハードディスク装置内の楽曲を再生して、その再生音をカーオーディオシステムのスピーカから出力する使い方が提案されている。
【０００４】
特許文献１は、メインユニットとしての制御装置と、該制御装置に接続されて制御装置からの制御によりメディア内の楽曲を再生する再生装置等の被制御装置を備える制御システムを開示する。該制御システムでは、再生装置等の被制御装置の記憶部に、制御装置が該被制御装置を制御するために必要となる制御プログラムや、制御装置側のタッチパネルに表示してユーザが該被制御装置の操作の際にタッチする画面部分を作成するメニュープログラムを記憶する。そして、該被制御装置が制御装置に接続されたり、切り離されたりすることに応じて、制御装置は、該被制御装置の記憶部の制御プログラム及びメニュープログラムを自分の記憶装置内へインストールしたり、自分の記憶装置からアンインストールしている。
【特許文献１】特開２００１−２５５９３０号公報
【発明の開示】
【発明が解決しようとする課題】
【０００５】
ユーザは、楽曲の再生中又は楽曲の再生停止中、メディアに記憶されている楽曲にどんなものがあるかを知るために、楽曲のスキャンを行うことがあり、これに対処するため、一般的なオーディオ装置は楽曲のスキャン機能を装備する。しかし、ｉＰｏｄ（登録商標）自体は楽曲のスキャン機能を装備していない。
【０００６】
特許文献１の制御システムのようなオーディオシステムでは、再生装置がスキャン機能をあらかじめ装備している場合には、制御装置は、再生装置へスキャンを指示して、再生装置から制御装置へ送られてくるスキャン再生音をスピーカへ転送することによりスキャンを達成できるが、再生装置がスキャン機能を装備していない場合には、スキャンの達成が困難である。
【０００７】
本発明の目的は、ｉＰｏｄ（登録商標）のような携帯型楽曲再生装置がＡＶ処理に係る所定の機能、例えばスキャン機能を装備していなくても、該携帯型楽曲再生装置を楽曲処理装置に接続した場合に、該楽曲処理装置が該機能を支障なく実施できるようにすること、及び該楽曲処理装置のための制御方法及びプログラムを提供することである。
【課題を解決するための手段】
【０００８】
本発明では、楽曲処理装置は携帯型楽曲再生装置と通信自在になっている。携帯型楽曲再生装置は、内蔵記憶装置に記録されている楽曲を再生して、携帯型楽曲再生装置において聴取自在にしているとともに、楽曲処理装置からの複数個の所定のコマンドを受け付けて各コマンドに対する各処理を実行して処理結果を、楽曲処理装置へ返すようになっている。携帯型楽曲再生装置では、また、楽曲を分類するカテゴリが定義されている。
【０００９】
本発明の楽曲処理装置は次の手段を有している。
携帯型楽曲再生装置との通信により楽曲処理装置と携帯型楽曲再生装置との現在の選択カテゴリを同期させるカテゴリ同期手段、
楽曲処理装置における現在の選択カテゴリを検出するカテゴリ検出手段、
ユーザからのスキャン指示を受け付けると、及びスキャン期間中、現在のスキャン再生中の楽曲についての再生時間が所定時間に達すると、現在の選択カテゴリに係るスキャン順番において待ち順が１番である楽曲について、その再生信号を楽曲処理装置へ送出する旨のコマンドとしての再生信号要求コマンドを携帯型楽曲再生装置へ送信する再生信号要求コマンド送信手段、及び
再生信号要求コマンドに応答して携帯型楽曲再生装置から送信されてきた再生信号を、楽曲処理装置に接続されている放音器へ送出する再生信号送出手段。
【００１０】
本発明の別の楽曲処理装置は次の手段を有している。
携帯型楽曲再生装置では楽曲を分類するカテゴリが定義され、携帯型楽曲再生装置との通信により楽曲処理装置と携帯型楽曲再生装置との現在の選択カテゴリを同期させるカテゴリ同期手段、
楽曲処理装置における現在の選択カテゴリを検出するカテゴリ検出手段、
現在の選択カテゴリに属する楽曲の楽曲名を構成要素とするリストを定義し、該リストの構成要素の総数Ｎとし、該リスト内の各楽曲名に連続番号を対応付け、所定個数Ｎ１（Ｎ１＜Ｎ）個の連続番号の楽曲名に係るリスト部分情報について送信するように、リスト部分情報要求コマンドを携帯型楽曲再生装置へ送信するリスト部分情報要求コマンド送信手段、
リスト部分情報要求コマンドに対する携帯型楽曲再生装置からの応答を受信すると、該応答に基づきリスト部分を作成してタッチディスプレイに表示するリスト部分表示手段、
ユーザからのリスト部分のスクロール指示を受け付けると、再生中の楽曲の楽曲名のリスト部分を表示する代わりに、スクロール後のリスト部分を表示するように、スクロール後のリスト部分に係るリスト部分情報要求コマンドをリスト部分情報要求コマンド送信手段に携帯型楽曲再生装置へ送信させる送信指示手段、
楽曲再生中、ユーザから再生中楽曲の楽曲名を含むリスト部分表示への戻り指示を受け付けると、再生中の楽曲の楽曲名のリスト部分に係るリスト部分情報要求コマンドをリスト部分情報要求コマンド送信手段に携帯型楽曲再生装置へ送信させる送信指示手段。
【００１１】
本発明の制御方法は次のステップを有している。
携帯型楽曲再生装置との通信により楽曲処理装置と携帯型楽曲再生装置との現在の選択カテゴリを同期させるカテゴリ同期ステップ、
楽曲処理装置における現在の選択カテゴリを検出するカテゴリ検出ステップ、
ユーザからのスキャン指示を受け付けると、及びスキャン期間中、現在のスキャン再生中の楽曲についての再生時間が所定時間に達すると、現在の選択カテゴリに係るスキャン順番において待ち順が１番である楽曲について、その再生信号を楽曲処理装置へ送出する旨のコマンドとしての再生信号要求コマンドを携帯型楽曲再生装置へ送信する再生信号要求コマンド送信ステップ、及び
再生信号要求コマンドに応答して携帯型楽曲再生装置から送信されてきた再生信号を、楽曲処理装置に接続されている放音器へ送出する再生信号送出ステップ。
【００１２】
本発明の別の制御方法は次のステップを有している。
携帯型楽曲再生装置との通信により楽曲処理装置と携帯型楽曲再生装置との現在の選択カテゴリを同期させるカテゴリ同期ステップ、
楽曲処理装置における現在の選択カテゴリを検出するカテゴリ検出ステップ、
現在の選択カテゴリに属する楽曲の楽曲名を構成要素とするリストを定義し、該リストの構成要素の総数Ｎとし、該リスト内の各楽曲名に連続番号を対応付け、所定個数Ｎ１（Ｎ１＜Ｎ）個の連続番号の楽曲名に係るリスト部分情報について送信するように、リスト部分情報要求コマンドを携帯型楽曲再生装置へ送信するリスト部分情報要求コマンド送信ステップ、
リスト部分情報要求コマンドに対する携帯型楽曲再生装置からの応答を受信すると、該応答に基づきリスト部分を作成してタッチディスプレイに表示するリスト部分表示ステップ、
ユーザからのリスト部分のスクロール指示を受け付けると、スクロール後のリスト部分に係るリスト部分情報要求コマンドを携帯型楽曲再生装置へ送信するリスト部分情報要求コマンド送信ステップ、及び
ユーザから再生中楽曲の楽曲名を含むリスト部分表示への戻り指示を受け付けると、再生中の楽曲の楽曲名のリスト部分に係るリスト部分情報要求コマンドを携帯型楽曲再生装置へ送信するリスト部分情報要求コマンド送信ステップ。
【００１３】
本発明のプログラムは、前述又は後述の楽曲処理装置の各手段としてコンピュータを機能させる。あるいは、本発明のプログラムは、前述又は後述の制御方法の各ステップをコンピュータに実現させる。
【発明の効果】
【００１４】
本発明によれば、携帯型楽曲再生装置自体は、次の楽曲の再生開始の処理は可能であるものの、スキャン機能を装備していない場合であっても、楽曲処理装置は、携帯型楽曲再生装置に用意された再生信号要求コマンドを携帯型楽曲再生装置へ発行して、携帯型楽曲再生装置の内蔵記憶装置の楽曲についてスキャン処理することができる。
【００１５】
本発明によれば、携帯型楽曲再生装置自体には、タッチディスプレイのリスト部分が、現在再生中の楽曲を含まない場合に、現在再生中の楽曲を含むリスト部分へ直接に戻る機能が装備されていなくても、楽曲処理装置は、携帯型楽曲再生装置へリスト部分情報要求コマンドを送信して、その回答情報を得ることにより、該機能を実現することができる。
【発明を実施するための最良の形態】
【００１６】
図１は車載用マルチメディアシステム１０及び携帯型楽曲再生装置２０についてそれらの概略及び接続状態を示す全体図である。車載用マルチメディアシステム１０は、自動車に装備され、本体制御装置１１、カラーモニター１２及び左右のスピーカ１３ａ，１３ｂを有している。本体制御装置１１は、地図データベースをもつハードディスク装置を内蔵している。本体制御装置１１は、また、ＤＶＤやＣＤ等の光ディスクをセットされてそれらのデータを読み取るＣＤ／ＤＶＤドライブ１０８（図６）を備えている。カラーモニター１２はタッチパネル１４を前面に有している。
【００１７】
携帯型楽曲再生装置２０は、例えばｉＰｏｄ（登録商標）やｇｉｇａｂｅａｔ（登録商標）であり、手のひらに載せられかつユーザの衣服のポケットやバッグに格納可能の寸法及び重量となっている。携帯型楽曲再生装置２０は、本体２１と、本体２１の前面のそれぞれ上半部及び下半部に配備される液晶表示部２２及び（ｉＰｏｄの場合では）クリックホィール２３と、本体２１に接続されてユーザの耳に装着される左右のイヤホーン２４とを有している。ｉＰｏｄ（登録商標）は内蔵ハードディスク装置を装備し、該内蔵ハードディスク装置には、多数の楽曲データがＡＡＣ（Advanced Audio Coding ）やＭＰ３のファイル形式で記録され、ｉＰｏｄ（登録商標）において適宜読み出し、かつ再生処理して、再生音が左右のイヤホーン２４から聴取可能になっている。
【００１８】
ケーブル１６は、携帯型楽曲再生装置２０の本体２１の分離自在に接続されかつ例えば３０ピンをもつコネクタ１７と、車載用マルチメディアシステム１０の本体制御装置１１の外部左右オーディオ信号入力端子１２１（図８）へ接続される左右のコネクタ１８ａ，１８ｂと、車載用マルチメディアシステム１０の本体制御装置１１のＵＡＲＴ（(Universal Asynchronous Receiver Transmitter) 及び電源用のコネクタへ接続されるコネクタ１９とを備えている。本体制御装置１１はＵＡＲＴインターフェース１２０（図８）を介して携帯型楽曲再生装置２０に対して所定のコマンドを送信し、かつ携帯型楽曲再生装置２０からコマンドに対応する情報を入手するようになっている。本体制御装置１１は、ケーブル１６を介する携帯型楽曲再生装置２０との接続中、コネクタ１９から携帯型楽曲再生装置２０へ所定の電力を送り、携帯型楽曲再生装置２０の内蔵バッテリを充電する。
【００１９】
ｉＰｏｄ（登録商標）では、所定のコマンドが設定済みとなっており、ｉＰｏｄ（登録商標）は、これらコマンドに対して所定の処理を行って、コマンド発行元へ処理結果を返すようになっている。本体制御装置１１は、ｉＰｏｄ（登録商標）のような携帯型楽曲再生装置２０に対しては、携帯型楽曲再生装置２０側のコマンドを使って、携帯型楽曲再生装置２０に指示を出し、携帯型楽曲再生装置２０から返される処理結果をそのまま、又は適当に加工して、ユーザへ各種機能を提供する。
【００２０】
図２はトップカテゴリの画面の表示状態でのカラーモニター１２の正面図である。なお、カラーモニター１２に物理的に装備されている操作キーを「ハードキー」と呼び、タッチパネル１４に適宜表示されて操作時にユーザによりタッチされるキーを「ソフトキー」と呼ぶことにする。説明の便宜上、カラーモニター１２の左右をカラーモニター１２を前方から見たとき（正面視）の左右と定義する。カラーモニター１２の筐体の前面には、タッチパネル１４を左右両側から挟むように左右の側辺部が存在し、ボリュームキー２８は、筐体前面の左側辺部の上部に配備され、ユーザ操作により楽曲の再生音の音量を増減するようになっている。ナビ／テレビ切替キー２９は、筐体前面の右側辺部の上部に配備され、タッチパネル１４の画面をユーザ操作によりナビ用とテレビ用とへ切り替えるようになっている。携帯型楽曲再生装置／ＤＶＤ切替キー３０は、筐体前面の右側辺部の下部に配備され、タッチパネル１４の画面をユーザ操作によりＤＶＤ用と携帯型楽曲再生装置２０用とへ切り替えるようになっている。
【００２１】
トップカテゴリは、ｉＰｏｄ（登録商標）に定義されているものであり、プレイリスト、アーティスト、アルバム、曲、ジャンル及び作曲者の６個のカテゴリを含み、これらカテゴリは、１個のリストを構成し、トップカテゴリ画面において縦に一列に順番に配置される。ｉＰｏｄタグ３３、セットアップタグ３４及び現在時刻表示ウィンドウ３５は、トップカテゴリ画面において上辺部に配列される。トップカテゴリ画面は、ｉＰｏｄタグ３３がタッチパネル１４上でタッチされたときに、表示されるものである。ユーザは、タッチパネル１４の画面を１個、下位の階層のカテゴリ群の表示に切り替えたい場合には、プレイリスト、アーティスト、アルバム、曲、ジャンル及び作曲者の中から所望のカテゴリの部位をタッチする。
【００２２】
図３はカテゴリの階層図である。図３のカテゴリの階層構造は携帯型楽曲再生装置２０において定義される。カテゴリの階層構造における各カテゴリ群又は各曲名（曲名＝楽曲名）群はリストを構成し、リスト同士は、ツリー構造を構成している。トップカテゴリの各カテゴリは、各ツリー構造において最上位の階層であり、各ツリー構造においてリーフに相当するリストは、すべて、曲名を要素とする。また、「すべて」と定義するカテゴリが、プレイリスト名のリストと曲名のリストとを除く、各リストに存在している。ユーザが「すべて」を選択した場合、その「すべて」を含んでいたリストの全カテゴリの曲名から成るリストが選択されたことになる。同一の曲名が複数個のカテゴリに属することがある。携帯型楽曲再生装置２０内のハードディスク装置に記録されている楽曲には、記録順に１から始まる連続番号（以下、この番号を、「記録順番号」という。）が付与されている。
【００２３】
図４は楽曲名を要素とするリストのリスト部分の画面の表示状態でのカラーモニター１２の正面図である。図４に係るリストは、図３のツリー構造のリーフでかつ曲名のリスト、又は「すべて」を選択したことにより表示されるリストである。楽曲名を要素とするリストのリスト部分の画面は、ユーザが図３のリーフのリストへ移行したときに、リストごとに、該リストを構成する各要素には、管理の便宜上、１から連続する仮番号が付与される。各リストにおいて付与される仮連続番号の大小関係は、携帯型楽曲再生装置２０における記録順番号の大小関係に一致させられる。タッチパネル１４のサイズは小さいので、タッチパネル１４には、リスト全体を表示することができず、現在選択されているリストに属する楽曲名の内、連続する６個の仮番号の楽曲の楽曲名４１のみが縦一列にタッチパネル１４にリスト部分として表示される。ユーザが、タッチパネル１４に現在、表示されている楽曲名４１の縦列の中の１個をタッチすると、該タッチされた楽曲名４１の楽曲の再生が開始される。
【００２４】
図４の楽曲名４１のリスト部分画面における各ソフトキーについて説明する。現在再生中楽曲名用リスト部分戻りキー４３は、楽曲名４１の列の上端の高さにあり、ユーザが、現在再生中の楽曲（以下、該楽曲を「楽曲Ｇ」という。）の楽曲名が表示されていないリスト部分画面から、楽曲Ｇを含むリスト部分画面へ戻ることを希望したときに、タッチするものである。なお、図４の表示画面は楽曲Ｇを含むリスト部分画面であり、該楽曲Ｇの楽曲名４１（４行目の楽曲名４１）は音符マーク４２付きとなっている。図４のリスト部分画面では、楽曲Ｇの楽曲名４１が表示されているので、もしユーザが現在再生中楽曲名用リスト部分戻りキー４３にタッチしても、画面の変更はない。楽曲名４１は、計６個、縦一列に配列されているが、各楽曲名４１に付与されている仮番号は、１行ずつ下へ移行するに連れて１ずつ増大している。前頁スキップキー４４及び次頁スキップキー４５は、楽曲名４１の縦列の左側及び右側にそれぞれ配置され、ユーザが、現在表示されている頁のリスト部分として、前頁及び次頁（後頁）のリスト部分を表示したいときに、タッチするものである。
【００２５】
現在再生中楽曲用ウィンドウ４６及びタイムコードウィンドウ５０は楽曲名４１の縦列の上側に左右に配置され、現在再生中楽曲用ウィンドウ４６は楽曲名表示部４７及びテキストスクロールキー４８を含む。楽曲名表示部４７は、楽曲Ｇの楽曲名が表示される。現在再生中楽曲用ウィンドウ４６及びタイムコードウィンドウ５０は、楽曲の再生中、常時、画面の最前面に表示されるのに対し、楽曲名４１のリスト部分画面は、ユーザが適宜前頁スキップキー４４又は次頁スキップキー４５にタッチすることにより、楽曲Ｇの楽曲名を含まないリスト部分画面へ遷移したり、ユーザがハードキーやソフトキーを適宜、押下操作やタッチすることにより楽曲名ではないものを要素とするカテゴリに係るリスト部分画面へ遷移する。テキストスクロールキー４８は、楽曲名が長いために、楽曲名の末尾部分が楽曲名表示部４７に表示し切れないときに、該末尾部分を所定時間だけ表示するときに、ユーザによりタッチされるものである。タイムコードウィンドウ５０は、楽曲Ｇのタイムコードを表示する。
【００２６】
トップカテゴリ戻りキー５３及び階層アップキー５５は次頁スキップキー４５の上方においてそれぞれ上及び下の相対関係で配置される。トップカテゴリ戻りキー５３は、トップカテゴリの画面（図２）へ直接に戻るときにユーザによりタッチされるものである。階層アップキー５５は、リスト部分が現在、表示されているリストに対して１個の上位階層のリストへ戻るときにユーザによりタッチされるものである。ラージメニュー戻りキー５７は、タッチパネル１４の右下隅に配置され、ラージメニューの画面（図５）に戻るときにタッチされるものである。ラージメニューについては、後で詳説する。
【００２７】
ジャンプバー５８は、楽曲名４１の縦列の下方に表示され、軸方向へ等間隔に目盛り（例えば、ジャンプバー５８の長さＬに対して１／１０ずつの目盛り）を付けられている。ジャンプバー５８は、現在選択されているカテゴリに対応付けられたリスト内の多数の要素の中から所望の要素を選択して、該要素を含むリスト部分をタッチパネル１４に表示するときに、ユーザがジャンプバー５８の長さ方向の部位をタッチするものとなっている。図４のジャンプバー５８は、楽曲名４１を選択するためのものであるが、楽曲名４１ではなく、図３におけるアーティスト名のリスト、アルバム名のリスト、及びジャンル名のリスト内の所望の要素を能率的に選択して、タッチパネル１４に表示する場合にも適用される。
【００２８】
現在番号位置マーク５９は、ジャンプバー５８上の位置に表示され、現在再生中の楽曲の仮番号が仮番号全体の中での相対位置を示している。現在再生中の楽曲は、現在再生中楽曲用ウィンドウ４６に表示されているように、３００００曲中の２００００番目の曲であり、ジャンプバー５８における現在番号位置マーク５９の軸方向位置は、ジャンプバー５８の全長をＬとしたときに、ジャンプバー５８の左端から（２／３）・Ｌの位置にある。ユーザは、ジャンプバー５８にタッチするとき、ジャンプバー５８の１／１０ずつの目盛りの他に、ジャンプバー５８における現在番号位置マーク５９の位置、及び現在再生中楽曲用ウィンドウ４６における仮番号を目安に、所望の番号の箇所を的確に知ることができる。
【００２９】
ジャンプバー５８は、左端を軸方向位置＝０の原点とし、左端から右方向へ延びる横軸を考え、各横軸方向位置に番号を対応付けている。すなわちリストの要素には、前述したように、１から始まって連続する各リスト用の仮番号が付与され、ジャンプバー５８の左端及び右端は、現在選択されているリストの仮番号１（厳密には０だが、ほぼ１）及び最大仮番号（この最大仮番号をＮと定義する。）の要素に対応付けられ、各要素は、その仮番号をＮ１とし、ジャンプバー５８の長さＬとした場合、Ｌ・（Ｎ１／Ｎ）の軸方向位置に対応付けられる。したがって、原則的には、ユーザが軸方向位置Ｌ１の箇所をタッチしたとき、Ｎ・（Ｌ１／Ｌ）番の要素を含むリスト部分がタッチパネル１４に表示される。Ｎがある程度大きい数になると、１個の要素当たりに割り付けられる長さ範囲Ｌ／Ｎが短くなり、ユーザは、所望の要素に対応付けられている箇所を的確にタッチできず、少しずれた箇所をタッチすることがある。その場合、ユーザが希望したリスト部分ではなく、前後方向へその近辺の別のリスト部分がタッチパネル１４に表示されることになるが、ユーザは、前頁スキップキー４４又は次頁スキップキー４５を適宜、タッチして、所望のリスト部分をタッチパネル１４に表示するか、所望のリスト部分がタッチパネル１４に表示されるまで、２度、３度とジャンプバー５８へのタッチを試みるかする。
【００３０】
図５はラージメニューの画面の表示状態でのカラーモニター１２の正面図である。ラージメニューの画面は、車載用マルチメディアシステム１０に携帯型楽曲再生装置２０が接続されたときに、カラーモニター１２に最初に表示する画面として設定されている。ラージメニューの画面は、また、各画面においてラージメニュー戻りキー５７（図４）が適宜、タッチされたときにも、切替後の画面として表示される。ラージメニューには、再生楽曲情報表示領域６５及び基本操作キー表示領域６６が含まれる。
【００３１】
再生楽曲情報表示領域６５は、所有者（ＯＷＮＥＲ）欄、楽曲名欄（ＴＩＴＬＥ）欄、アーティスト（ＡＲＴＩＳＴ）欄、アルバム名（ＡＬＢＵＭ）欄を含む。所有者（ＯＷＮＥＲ）欄には、今回接続された携帯型楽曲再生装置２０の名前が表示される。携帯型楽曲再生装置２０の名前は、通常、ユーザが携帯型楽曲再生装置２０の購入した時や携帯型楽曲再生装置２０を最初に使用する時に、自ら設定する。楽曲名欄（ＴＩＴＬＥ）欄、アーティスト（ＡＲＴＩＳＴ）欄、アルバム名（ＡＬＢＵＭ）欄には、現在選択中の楽曲の楽曲名、歌手名及びアルバム名がそれぞれ表示される。テキストスクロールキー４８は、各欄の右横に配置され、ユーザがそれにタッチしたとき、各欄に表示し切れなかった後尾部分のテキストを表示する。
【００３２】
基本操作キー表示領域６６は、処理名付きキーが配備される左半部と、アイコンキーが配備される右半部とに分かれている。基本操作キー表示領域６６の左半部には、１曲リピート、スキャン、曲ランダム及びアルバムランダムを指示するときのキーが配備される。また、基本操作キー表示領域６６の右半部には、早戻し、早送り、スキップ等の周知のアイコンキーが配備される。
【００３３】
ラージメニューには、さらに、タイムコード表示部６７、リスト部分遷移キー６８及びトップカテゴリ遷移キー６９が配備される。タイムコード表示部６７では、再生楽曲のタイムコードが表示される。リスト部分遷移キー６８は、再生楽曲情報表示領域６５に表示されている楽曲を含むリスト部分の画面へ切り替えるときにユーザによりタッチされるものである。トップカテゴリ遷移キー６９は、図２のトップカテゴリの画面へ切り替えるときにユーザによりタッチされるものである。
【００３４】
図６は車載用マルチメディアシステム１０のハードウェア構成図である。なお、図６において、本体制御装置１１の要素は、カラーモニター１２及びスピーカ１３ａ，１３ｂ以外の全部である。ＧＰＳモジュール１０１は、ＧＰＳ衛星からの電波に基づき自車位置を検出する。ＶＩＣＳ（Vehicle Information and Communication System）モジュール１０２は、ＦＭ多重放送等から道路渋滞情報を受信する。ＴＶチューナ１０３は、ＶＨＦやＵＨＦのテレビ放送電波に係るビデオ及びオーディオ信号を出力する。ハードディスク装置１０４は、地図データベース１０５を含むとともに、ＣＤ等からダビングした楽曲データ等を適宜書き込み及び読み出し自在になっている。ＣＤ／ＤＶＤドライブ１０８は、所定のＣＤ−ＲＯＭから地図データベース１０５用のデータを読み取り自在になっているとともに、音楽ＣＤやＤＶＤ等から楽曲や映画の再生用データを読み取り可能になっている。処理及び制御装置１１０は、ＣＰＵを含み、ＧＰＳモジュール１０１、ＶＩＣＳモジュール１０２、ＴＶチューナ１０３、ハードディスク装置１０４及びＣＤ／ＤＶＤドライブ１０８からのデータ及び信号を受け取り、各種の処理を実行する。画像生成器１１２は、処理及び制御装置１１０から入力されるデータに基づき画像表示信号を生成して、カラーモニター１２に出力する。ユーザは、本体制御装置１１に対して指示や入力を行なう際は、メニューやキーボードの表示されているカラーモニター１２のタッチパネル画面に対して、所定位置を指でタッチすることになっている。タッチ位置検出器１１４は、ユーザが、指でタッチした位置を検出し、処理及び制御装置１１０へ出力する。Ｄ／Ａ変換器１１５は、処理及び制御装置１１０からデジタルオーディオ信号を受け、それをアナログオーディオ信号へ変換して、スピーカ１３ａ，１３ｂへ出力する。
【００３５】
本体制御装置１１は、さらに、ＵＡＲＴインターフェース１２０及び外部左右オーディオ信号入力端子１２１を有している。図１において、前述したように、携帯型楽曲再生装置２０を本体制御装置１１へ接続する場合、ケーブル１６のコネクタ１９は、ＵＡＲＴインターフェース１２０へ接続され、コネクタ１８ａ，１８ｂは外部左右オーディオ信号入力端子１２１へ接続される。この本体制御装置１１は、ＣＤ−ＡＵＤＩＯ、ＤＶＤ−ＡＵＤＩＯ及びＤＶＤ−ＶＩＤＥＯをＣＤ／ＤＶＤドライブ１０８にセットして、それらに記録されている楽曲やビデオを再生できるだけでなく、携帯型楽曲再生装置２０から外部左右オーディオ信号入力端子１２１へ入力された楽曲再生音を、スピーカ１３ａ，１３ｂから適宜、放音できるようになっている。
【００３６】
図７は楽曲処理装置１５０の機能ブロック図である。楽曲処理装置１５０は、携帯型楽曲再生装置１８０と通信自在になっている。携帯型楽曲再生装置１８０は、内蔵記憶装置に記録されている楽曲を再生して、携帯型楽曲再生装置１８０において聴取自在にしているとともに、楽曲処理装置１５０からの複数個の所定のコマンドを受け付けて、各コマンドに対する各処理を実行して処理結果を、楽曲処理装置１５０へ返すようになっている。携帯型楽曲再生装置１８０では、また、楽曲を分類するカテゴリが定義されている。携帯型楽曲再生装置１８０は、カテゴリ同期手段１５１、カテゴリ検出手段１５２、再生信号要求コマンド送信手段１５３及び再生信号送出手段１５４を有している。
【００３７】
カテゴリ同期手段１５１は、携帯型楽曲再生装置１８０との通信により楽曲処理装置１５０と携帯型楽曲再生装置１８０との現在の選択カテゴリを同期させる。カテゴリ検出手段１５２は、楽曲処理装置１５０における現在の選択カテゴリを検出する。再生信号要求コマンド送信手段１５３は、ユーザからのスキャン指示を受け付けると、及びスキャン期間中、現在のスキャン再生中の楽曲についての再生時間が所定時間に達すると、現在の選択カテゴリに係るスキャン順番において待ち順が１番である楽曲について、その再生信号を楽曲処理装置１５０へ送出する旨のコマンドとしての再生信号要求コマンドを携帯型楽曲再生装置１８０へ送信する。再生信号送出手段１５４は、再生信号要求コマンドに応答して携帯型楽曲再生装置１８０から送信されてきた再生信号を、楽曲処理装置１５０に接続されている放音器１８３へ送出する。
【００３８】
楽曲処理装置１５０の一例は前述の本体制御装置１１である。携帯型楽曲再生装置１８０の一例は前述の携帯型楽曲再生装置２０である。放音器１８３の一例はスピーカ１３ａ，１３ｂ（図１）である。ユーザからのスキャン指示は、例えば図５のラージメニューにおける基本操作キー表示領域６６のスキャン処理名付きキーへのタッチの有無により検出される。楽曲を分類するカテゴリとは例えば図３に記載されているもの（例：プレイリスト、アーティスト、・・・プレイリスト名、アーティスト名、・・・）である。楽曲処理装置１５０は、車載用に限定されず、家庭や事務所に配置されるものであってもよい。楽曲処理装置１５０と携帯型楽曲再生装置１８０との間の通信は、ケーブルを介するものや、ケーブルを介さずにＵＳＢの直付けの接続を介するもの、さらに、無線による通信を含むものとする。ユーザは、楽曲処理装置１５０が携帯型楽曲再生装置１８０にとっては外部接続の機器ながら、楽曲処理装置１５０におけるユーザ操作を介して、携帯型楽曲再生装置１８０の内蔵記憶装置に記憶されている要素としての楽曲を、楽曲処理装置１５０側の放音器１８３を介して聴取できることになる。
【００３９】
各楽曲について、それをスキャン再生する時間としての所定時間は例えば１０秒である。スキャン再生する時間の所定時間を、全部の楽曲について同一にすることなく、それぞれ異なったスキャン時間であってもよいとする。スキャン方向は前進方向（ＦＯＷＡＲＤ）及び後進方向（ＲＥＶＥＲＳＥ）のいずれであってもよいとする。スキャン再生の対象となる楽曲は、典型的には、現在選択中のカテゴリに属する全部の楽曲である。所定の楽曲が再生中である場合に（以下、該再生中の楽曲を「スキャン開始前再生楽曲」という。）、ユーザからスキャン指示を受け付けたときには、典型的には、仮番号がスキャン開始前再生楽曲の仮番号の次である楽曲が再生される。典型的には、現在選択中のカテゴリにおいて仮番号が最大である楽曲をスキャン再生した後は、次に、仮番号が１である楽曲を再生し、仮番号を順次、インクリメントした仮番号の楽曲を再生し、仮番号がスキャン開始前再生楽曲の仮番号より１個前の楽曲をスキャン再生終了するとともに、今回のスキャンを終了する。
【００４０】
コマンドは、ｉＰｏｄ（登録商標）を含む携帯型楽曲再生装置２０に関連して説明したように、携帯型楽曲再生装置１８０側が定義、設定したものであり、携帯型楽曲再生装置１８０は、自分が定義、設定しているコマンドに対応する処理を実施するプログラム及びハード素子を自ら備えている。楽曲処理装置１５０は、携帯型楽曲再生装置１８０が設定しているコマンドを利用して、携帯型楽曲再生装置１８０に指示を出す。カテゴリ同期手段１５１が、携帯型楽曲再生装置１８０と楽曲処理装置１５０との現在のカテゴリの同期を取るのは、同期を取らないと、各コマンドに対する携帯型楽曲再生装置１８０の処理に支障が生じるからである。なお、好ましくは、コマンドには、携帯型楽曲再生装置１８０をリセットするコマンドが存在し、携帯型楽曲再生装置１８０は、このようなコマンドを受信すると、現在のカテゴリをトップカテゴリにする。
【００４１】
現在の選択カテゴリに係るスキャン順番において待ち順が１番である楽曲とは、例えば、（ａ）楽曲処理装置１５０が楽曲の再生中止状態で再生指示を受けたときには、仮番号が１番である楽曲、（ｂ）楽曲処理装置１５０が楽曲の再生状態で再生指示を受けたときには、現在再生中楽曲の仮番号に対してその次の仮番号の楽曲である。現在の選択カテゴリに係るスキャン順番において待ち順が１番である楽曲とは、さらに、（ｃ）楽曲処理装置１５０が楽曲の再生状態で再生指示を受けたときには、現在再生中楽曲の仮番号に対して仮番号が１個、前の楽曲であってもよい。携帯型楽曲再生装置１８０を含む一般の再生装置では、現在再生中の楽曲に対して前進方向（ＦＯＷＡＲＤ）及び後進方向（ＲＥＶＥＲＳＥ）へ次の楽曲へスキップしてそれを再生するスキップキーを備えており、携帯型楽曲再生装置１８０は、（ａ）の場合には、前進方向スキップキーに対して１回、ユーザ操作があったときと同一の処理を行って、再生信号を楽曲処理装置１５０へ返し、（ｂ）の場合には、後進方向スキップキーに対して所定時間内に２回、ユーザ操作があったときと同一の処理を行って、再生信号を楽曲処理装置１５０へ返す。なお、携帯型楽曲再生装置１８０は、後進方向スキップキーに対して所定時間内にユーザ操作が１回しか行われなかったときは、現在再生中の楽曲の先頭へスキップするだけである。
【００４２】
こうして、携帯型楽曲再生装置１８０自体は、次の楽曲の再生開始の処理は可能であるものの、スキャン機能を装備していない場合であっても、楽曲処理装置１５０は、携帯型楽曲再生装置１８０に用意された再生信号要求コマンドを携帯型楽曲再生装置１８０へ発行して、携帯型楽曲再生装置１８０の内蔵記憶装置の楽曲についてスキャン処理することができる。
【００４３】
楽曲処理装置１５０をさらに具体的に説明する。
【００４４】
要素は楽曲名又は楽曲名に係るカテゴリ名である。ユーザからのスキャン指示には、楽曲のスキャン指示及びカテゴリのランダムスキャン指示が含まれる。カテゴリのランダムスキャン指示には、例えば、アルバム名リストにおけるアルバム名をランダムに配列する指示、アーティスト名リストにおけるアーティスト名をランダムに配列する指示、ジャンル名リストにおけるジャンル名をランダムに配列する指示等が含まれる。典型的なカテゴリのランダムスキャンでは、カテゴリはランダムに配列されるものの、各カテゴリ内の楽曲は、記録順番号の順番に再生される。
【００４５】
再生信号要求コマンド送信手段１５３は、ユーザからのスキャン指示がランダムスキャン指示である場合、再生信号要求コマンドに先立ち、楽曲のランダム配列指示のコマンド又はカテゴリのランダム配列指示のコマンドを携帯型楽曲再生装置１８０へ送る。
【００４６】
楽曲のランダム配列指示のコマンド又はカテゴリのランダム配列指示のコマンドと再生信号要求コマンドとの関係は、（ａ）ランダム配列指示のコマンド又はカテゴリのランダム配列指示のコマンドを各再生信号要求コマンドに先立ち１５０から携帯型楽曲再生装置１８０へ送信する場合、及び（ｂ）ランダム配列指示のコマンド又はカテゴリのランダム配列指示のコマンドは、最初に１回だけ１５０から携帯型楽曲再生装置１８０へ送信し、以降は、再生信号要求コマンドのみを１５０から携帯型楽曲再生装置１８０へ送信する場合の両方を含むものとする。（ａ）の場合には、ランダム配列指示のコマンド→再生信号要求コマンド→ランダム配列指示のコマンド→再生信号要求コマンド→ランダム配列指示のコマンド→再生信号要求コマンド→・・・となり、（ｂ）の場合には、ランダム配列指示のコマンド→再生信号要求コマンド→再生信号要求コマンド→再生信号要求コマンド→・・・となる。
【００４７】
楽曲処理装置１５０はさらにスキャン処理中止手段１５８を有している。スキャン処理中止手段１５８は、スキャン期間においてユーザからのカテゴリ変更を受け付けると、スキャン処理を中止する。楽曲処理装置１５０は、スキャン期間において、スキャンの中止に係るユーザ操作を受付可能になっている。カテゴリを移動すると、今回のスキャン対象となる楽曲が変わるので、混乱が生じないようにするために、スキャン処理が中止される。
【００４８】
現在の選択カテゴリに属する楽曲の楽曲名を構成要素とするリストが定義され、該リストの構成要素の総数Ｎとし、該リスト内の各楽曲名に連続番号が対応付けられる。リスト部分情報要求コマンド送信手段１６０は、所定個数Ｎ１（Ｎ１＜Ｎ）個の連続番号の楽曲名に係るリスト部分情報について送信するように、リスト部分情報要求コマンドを携帯型楽曲再生装置１８０へ送信する。リスト部分表示手段１６１は、リスト部分情報要求コマンドに対する携帯型楽曲再生装置１８０からの応答を受信すると、該応答に基づきリスト部分１８７を作成してタッチディスプレイ１８５に表示する。送信指示手段１６２は、スキャン再生の進行に伴い、スキャン再生中の楽曲の楽曲名がタッチディスプレイ１８５に表示中のリスト部分１８７外とならないように、リスト部分情報要求コマンド送信手段１６０に適宜、リスト部分情報要求コマンドを携帯型楽曲再生装置１８０へ送信させる。
【００４９】
前述の図４では、リスト部分１８７としての楽曲名４１の列において楽曲名４１は６個となっているので、送信指示手段１６２は、６個の楽曲がスキャン再生されるごとに、リスト部分情報要求コマンド送信手段１６０に携帯型楽曲再生装置１８０へのリスト部分情報要求コマンドの送信を指示することになる。典型的な携帯型楽曲再生装置１８０は、リスト部分内で仮番号が最小となっている楽曲（以下、該楽曲のことを「リスト部分内最小仮番号楽曲」という。）の仮番号付きのリスト部分情報要求コマンドを受信すると、リスト部分内最小仮番号楽曲から仮番号が連続する複数個（図４のリスト部分例では６個）の楽曲名情報を楽曲処理装置１５０へ返す。
【００５０】
送信指示手段１６２は、ユーザからのリスト部分１８７のスクロール指示を受け付けると、再生中の楽曲の楽曲名のリスト部分１８７を表示する代わりに、スクロール後のリスト部分１８７を表示するように、スクロール後のリスト部分１８７に係るリスト部分情報要求コマンドをリスト部分情報要求コマンド送信手段１６０に携帯型楽曲再生装置１８０へ送信させる。送信指示手段１６２は、また、楽曲再生中、ユーザから再生中楽曲の楽曲名を含むリスト部分表示への戻り指示を受け付けると、再生中の楽曲の楽曲名のリスト部分１８７に係るリスト部分情報要求コマンドをリスト部分情報要求コマンド送信手段１６０に携帯型楽曲再生装置１８０へ送信させる。
【００５１】
現在再生中の楽曲とは、スキャン再生期間の現在再生中の楽曲であってもよいし、通常の再生期間の現在再生中の楽曲であってもよいとする。ユーザからのリスト部分１８７のスクロール指示は、例えば、ユーザが図４の前頁スキップキー４４及び次頁スキップキー４５をタッチすることにより行われる。楽曲再生中、ユーザから再生中楽曲の楽曲名を含むリスト部分表示への戻り指示は、例えば、ユーザが図４の現在再生中楽曲名用リスト部分戻りキー４３にタッチすることにより行われる。
【００５２】
リスト部分情報要求コマンド送信手段１６０から携帯型楽曲再生装置１８０へのリスト部分情報要求コマンドに対して、リスト部分表示手段１６１は携帯型楽曲再生装置１８０からの応答を受信し、該応答に基づきリスト部分１８７を作成してタッチディスプレイ１８５に表示する。したがって、リスト部分１８７は、それに応じて、スクロール後のリスト部分１８７や、再生中楽曲の楽曲名を含むリスト部分１８７となる。再生中の楽曲の楽曲名のリスト部分１８７に係るリスト部分情報要求コマンドとは、リスト部分１８７が図４のリスト部分のように、複数個の楽曲名を含むものである場合には、例えば、再生中の楽曲の楽曲名のリスト部分１８７において第１行と最終行の楽曲の仮番号を情報として含むものである。
【００５３】
タッチディスプレイ１８５のリスト部分１８７が、現在再生中の楽曲を含まない場合に、現在再生中の楽曲を含むリスト部分へ戻る機能は、携帯型楽曲再生装置１８０（特に、ｉＰｏｄ）自体には装備されていない。これに対して、楽曲処理装置１５０は、ユーザから再生中楽曲の楽曲名を含むリスト部分表示への戻り指示を受け付けるキー等を用意し、携帯型楽曲再生装置１８０へリスト部分情報要求コマンドを送信して、その回答情報を得ることにより、該機能を実現する。
【００５４】
楽曲処理装置１５０は、スキャン機能の実装とは関係なく、タッチディスプレイ１８５のリスト部分１８７が、現在再生中の楽曲の楽曲名を含まない場合に、現在再生中の楽曲の楽曲名を含むリスト部分へ戻る機能を適宜、実装することができる、説明の便宜上、現在再生中の楽曲の楽曲名を含むリスト部分へ戻る機能を「現在再生中楽曲リスト部分戻り機能」といい、現在再生中楽曲リスト部分戻り機能をスキャン機能とは無関係に備えた楽曲処理装置１５０を「現在再生中楽曲リスト部分戻り機能付き楽曲処理装置１５０」と呼ぶことにする。
【００５５】
現在再生中楽曲リスト部分戻り機能付き楽曲処理装置１５０は、カテゴリ同期手段１５１、カテゴリ検出手段１５２、リスト部分情報要求コマンド送信手段１６０、リスト部分表示手段１６１及び送信指示手段１６２を有し、現在再生中楽曲リスト部分戻り機能付き楽曲処理装置１５０のカテゴリ同期手段１５１、カテゴリ検出手段１５２、リスト部分情報要求コマンド送信手段１６０、リスト部分表示手段１６１及び送信指示手段１６２は楽曲処理装置１５０のそれらと同一である。
【００５６】
すなわち、携帯型楽曲再生装置１８０では楽曲を分類するカテゴリが定義され、カテゴリ同期手段１５１は、携帯型楽曲再生装置１８０との通信により楽曲処理装置１５０と携帯型楽曲再生装置１８０との現在の選択カテゴリを同期させる。カテゴリ検出手段１５２は、楽曲処理装置１５０における現在の選択カテゴリを検出する。現在の選択カテゴリに属する楽曲の楽曲名を構成要素とするリストを定義し、該リストの構成要素の総数Ｎとし、該リスト内の各楽曲名に連続番号を対応付ける。リスト部分情報要求コマンド送信手段１６０は、所定個数Ｎ１（Ｎ１＜Ｎ）個の連続番号の楽曲名に係るリスト部分情報について送信するように、リスト部分情報要求コマンドを携帯型楽曲再生装置１８０へ送信する。リスト部分表示手段１６１は、リスト部分情報要求コマンドに対する携帯型楽曲再生装置１８０からの応答を受信すると、該応答に基づきリスト部分１８７を作成してタッチディスプレイ１８５に表示する。送信指示手段１６２は、ユーザからのリスト部分１８７のスクロール指示を受け付けると、再生中の楽曲の楽曲名のリスト部分１８７を表示する代わりに、スクロール後のリスト部分１８７を表示するように、スクロール後のリスト部分１８７に係るリスト部分情報要求コマンドをリスト部分情報要求コマンド送信手段１６０に携帯型楽曲再生装置１８０へ送信させる。送信指示手段１６２は、また、ユーザから再生中楽曲の楽曲名を含むリスト部分表示への戻り指示を受け付けると、再生中の楽曲の楽曲名のリスト部分１８７に係るリスト部分情報要求コマンドをリスト部分情報要求コマンド送信手段１６０に携帯型楽曲再生装置１８０へ送信させる。
【００５７】
図８は楽曲処理装置用制御方法２００に係るステップ説明図である。楽曲処理装置用制御方法２００は、Ｓ２０３，Ｓ２０４，Ｓ２０８，Ｓ２１２，Ｓ２１６を有している。楽曲処理装置１５０及び携帯型楽曲再生装置１８０については、前述したとおりである。Ｓ２０３は、楽曲処理装置１５０が携帯型楽曲再生装置１８０へ接続されているときに、適宜、実行され、例えば、楽曲処理装置１５０へ携帯型楽曲再生装置１８０が接続された時、及び楽曲処理装置１５０から携帯型楽曲再生装置１８０へカテゴリリセット信号を送信した時に実行される。Ｓ２０３では、携帯型楽曲再生装置１８０との通信により楽曲処理装置１５０と携帯型楽曲再生装置１８０との現在の選択カテゴリを同期させる。Ｓ２０４では、楽曲処理装置１５０における現在の選択カテゴリを検出する。
【００５８】
Ｓ２０８は、ユーザからのスキャン指示を受け付けると、及びスキャン期間中、現在のスキャン再生中の楽曲についての再生時間が所定時間に達すると、実行される。Ｓ２０８では、現在の選択カテゴリに係るスキャン順番において待ち順が１番である楽曲について、その再生信号を楽曲処理装置１５０へ送出する旨のコマンドとしての再生信号要求コマンドを携帯型楽曲再生装置１８０へ送信する。
【００５９】
Ｓ２１２は、再生信号要求コマンドに応答して携帯型楽曲再生装置１８０から送信されてきた再生信号を受信すると、実行される。Ｓ２１２では、受信した再生信号を、楽曲処理装置１５０に接続されている放音器１８３へ送出する。
【００６０】
楽曲処理装置用制御方法２００は、好ましくはＳ２１６を有している。Ｓ２１６は、スキャン期間においてユーザからのカテゴリ変更を受け付けると、実行される。Ｓ２１６では、スキャン処理を中止する。スキャン処理中止は、例えばＳ２０８の実行を中止することに実現される。
【００６１】
楽曲処理装置用制御方法２００により、楽曲処理装置１５０は、携帯型楽曲再生装置１８０の内蔵記憶装置に記憶されている楽曲について、各カテゴリごとにスキャンを実行できる。
【００６２】
図９は楽曲処理装置用制御方法２４０に係るステップ説明図である。楽曲処理装置用制御方法２４０は、Ｓ２０３，Ｓ２０４，Ｓ２４３，Ｓ２４６を有している。Ｓ２０３，Ｓ２０４は、図８の楽曲処理装置用制御方法２００におけるそれらと同一である。現在の選択カテゴリに属する楽曲の楽曲名を構成要素とするリストを定義し、該リストの構成要素の総数Ｎとし、該リスト内の各楽曲名に連続番号を対応付ける。Ｓ２４３は後述のタイミングで実行され、Ｓ２４３では、所定個数Ｎ１（Ｎ１＜Ｎ）個の連続番号の楽曲名に係るリスト部分情報について送信するように、リスト部分情報要求コマンドを携帯型楽曲再生装置１８０へ送信する。Ｓ２４６は、リスト部分情報要求コマンドに対する携帯型楽曲再生装置１８０からの応答を受信すると、実行される。Ｓ２４６では、リスト部分情報要求コマンドに対する携帯型楽曲再生装置１８０からの応答に基づきリスト部分１８７を作成してタッチディスプレイ１８５に表示する。
【００６３】
Ｓ２４３は、ユーザからのリスト部分１８７のスクロール指示を受け付けた時、及びユーザから再生中楽曲の楽曲名を含むリスト部分表示への戻り指示を受け付けた時、実行される。ユーザからのリスト部分１８７のスクロール指示を受け付けた時は、Ｓ２４３では、スクロール後のリスト部分１８７に係るリスト部分情報要求コマンドを携帯型楽曲再生装置１８０へ送信する。ユーザから再生中楽曲の楽曲名を含むリスト部分表示への戻り指示を受け付けた時は、Ｓ２４３では、再生中の楽曲の楽曲名のリスト部分１８７に係るリスト部分情報要求コマンドを携帯型楽曲再生装置１８０へ送信する。
【００６４】
楽曲処理装置用制御方法２４０により、楽曲処理装置１５０は、タッチディスプレイ１８５に表示するリスト部分１８７を、再生中楽曲を含むものに変更できる。
【００６５】
本発明は、プログラムとしても実現される。該プログラムは楽曲処理装置１５０の各手段としてコンピュータを機能させる。あるいは、楽曲処理装置用制御方法２００及び楽曲処理装置用制御方法２４０の各ステップをコンピュータに実行させる。
【図面の簡単な説明】
【００６６】
【図１】車載用マルチメディアシステム及び携帯型楽曲再生装置についてそれらの概略及び接続状態を示す全体図である。
【図２】トップカテゴリの画面の表示状態でのカラーモニターの正面図である。
【図３】カテゴリの階層図である。
【図４】楽曲名を要素とするリストのリスト部分の画面の表示状態でのカラーモニターの正面図である。
【図５】ラージメニューの画面の表示状態でのカラーモニターの正面図である。
【図６】車載用マルチメディアシステムのハードウェア構成図である。
【図７】楽曲処理装置の機能ブロック図である。
【図８】楽曲処理装置用制御方法に係るステップ説明図である。
【図９】楽曲処理装置用制御方法に係るステップ説明図である。
【符号の説明】
【００６７】
１５０：楽曲処理装置、１５１：カテゴリ同期手段、１５２：カテゴリ検出手段、１５３：再生信号要求コマンド送信手段、１５４：再生信号送出手段、１５８：スキャン処理中止手段、１６０：リスト部分情報要求コマンド送信手段、１６１：リスト部分表示手段、１５２：送信指示手段、１８０：携帯型楽曲再生装置、１８３：放音器、１８５：タッチディスプレイ、１８７：リスト部分、２００：楽曲処理方法、２４０：楽曲処理方法。
【図１】
2006209833.tif 000003
【図２】
2006209833.tif 000004
【図３】
2006209833.tif 000005
【図４】
2006209833.tif 000006
【図５】
2006209833.tif 000007
【図６】
2006209833.tif 000008
【図７】
2006209833.tif 000009
【図８】
2006209833.tif 000010
【図９】
2006209833.tif 000011